(57)【要約】【課題】映像監視システム内の優先順位が高い機能に関して、停電時の稼働時間を従来よりも長くする。また、同じ稼働時間であれば、従来よりもバッテリの量を削減できるので、コスト及び設置面積、システム重量を削減する。【解決手段】無停電電源装置は、バッテリと、該バッテリ残容量の値を取得する監視部と、監視部からの信号と自身の設定情報によって無停電電源装置に接続された各装置の電源を個別に制御する電源制御部を具備し、停電発生時には前記無停電電源装置のバッテリ残容量に応じて、供給する電力を制御する。【選択図】図１
2011071675.tif 000002
【特許請求の範囲】
【請求項１】
撮影した映像を送信するカメラ装置と、受信した映像を伝送する伝送装置と、受信した映像を記録し、該記録された映像を送信する録画装置と、前記カメラ装置若しくは前記録画装置から送信された映像を受信して表示する表示装置と、平常時及び停電時に前記カメラ装置、前記伝送装置、前記録画装置、及び前記表示装置に電源を供給する無停電電源装置を有する映像監視システムにおいて、
前記無停電電源装置は、バッテリと、該バッテリ残容量の値を取得する監視部と、監視部からの信号と自身の設定情報によって無停電電源装置に接続された各装置の電源を個別に制御する電源制御部を具備し、停電発生時には前記無停電電源装置のバッテリ残容量に応じて、供給する電力を制御することを特徴とする映像監視システム。
【発明の詳細な説明】
【技術分野】
【０００１】
本発明は、映像監視システムに関わり、特に、停電時のシステム運用に関する。
【背景技術】
【０００２】
図５によって、従来の映像監視システムの停電対策について説明する。図５は、従来の映像監視システムの構成を示すブロック図である。５０１はカメラ装置、５０２は伝送装置、５０３は録画装置、５０４は表示装置、５０５は無停電電源装置、５０６は切替器、５０７はバッテリ、５０８は主電源入力部である。無停電電源装置５０５は、通常は、主電源入力部５０８から、電力を供給され、切替器５０７を介して、カメラ装置５０１、伝送装置５０２、録画装置５０３、及び表示装置５０４に電力を供給する。また、無停電電源装置５０５は、主電源入力部５０８から入力される電力の値（例えば、電圧値）が所定の値より小さい時間が、所定の時間連続した場合には、商用電源断と判断し、バッテリ５０７からの電力が、切替器を介して、カメラ装置５０１、伝送装置５０２、録画装置５０３、及び表示装置５０４に供給されるように、切替器５０７を切替える。
【０００３】
即ち、従来の映像監視システムでは、図５の例で示すように、映像監視システム内の全装置を無停電電源装置に接続する。そして、停電発生時には、システム全体の電源をバックアップし、一定時間後には全装置を電源オフにするように構成することがある。
【０００４】
図６によって、従来の映像監視システムの停電対策の別の例について説明する。図６は、従来の映像監視システムの構成を示すブロック図である。図５と同じ構成物には同じ符号を付けた。また、６０５は無停電電源装置、６０６は切替器、６０７はバッテリ、６０８は主電源入力部である。
図６の例のように、停電により破損する恐れのある装置（録画装置５０３及び表示装置５０４）のみを無停電電源装置に接続し、停電発生時には当該装置のみを電源バックアップし、他の装置（カメラ装置５０１及び伝送装置５０２）は電源オフとするように構成することもある。
【先行技術文献】
【特許文献】
【０００５】
【特許文献１】特開２００５−１０９８０１号公報
【発明の概要】
【発明が解決しようとする課題】
【０００６】
上記従来の映像監視システムの場合には、システム全体の装置の電源をバックアップしている。このため、停電発生時に無停電電源装置のバッテリ消費量が多く、バッテリ容量当たりの電源バックアップ時間が短い。また、長時間の電源バックアップが必要な場合には、バッテリ容量を増やす必要があり、コストや設置面積、システム重量を増やさなければならないという問題がある。
また、図６の例のように、停電により破損する恐れのある装置のみを無停電電源装置に接続し、停電発生時には当該装置のみを電源バックアップし、他の装置は電源オフとするように構成することもある。この場合は、装置の保護が主目的となるため、停電発生時にはシステムとしては動作を停止することになり、停電期間中の映像の監視、記録ができなくなる問題がある。
本発明の目的は、上記のような問題に鑑みて、停電時にはバッテリの残容量に応じてシステム内の必要度の低い装置から順次停止し、システム全体のバッテリ消費量を削減することで、停電時にシステムの主要な部分を動作させつつ稼働時間を延長する、または、同じ稼働時間あたりのバッテリの必要量を削減し、コスト及び設置面積、システム重量を削減することにある。
【課題を解決するための手段】
【０００７】
上記の課題を解決するために、本発明は、撮影した映像を送信するカメラ装置と、受信した映像を伝送する伝送装置と、受信した映像を記録し、該記録された映像を送信する録画装置と、前記カメラ装置若しくは前記録画装置から送信された映像を受信して表示する表示装置と、平常時及び停電時に前記カメラ装置、前記伝送装置、前記録画装置、及び前記表示装置に電源を供給する無停電電源装置を有する映像監視システムにおいて、
前記無停電電源装置は、バッテリと、該バッテリ残容量の値を取得する監視部と、監視部からの信号と自身の設定情報によって無停電電源装置に接続された各装置の電源を個別に制御する電源制御部を具備し、停電発生時には前記無停電電源装置のバッテリ残容量に応じて、供給する電力を制御するものである。
好ましくは、上記発明の映像監視システムにおける無停電電源装置の監視部は、前記バッテリの残容量表示からバッテリ残容量の値を取得する。
【発明の効果】
【０００８】
本発明によれば、システム内の優先順位が高い機能に関して、停電時の稼働時間を従来よりも長くすることができるようになる。また、同じ稼働時間であれば、従来よりもバッテリの量を削減できるので、コスト及び設置面積、システム重量を削減することができる。
【図面の簡単な説明】
【０００９】
【図１】本発明の映像監視システムの一実施例の構成を示すブロック図である。
【図２】本発明の設定情報部１３１が出力する設定情報の一実施例を示すメモリーテーブル図である。
【図３】本発明の一実施例によるバッテリ消費量の削減を表すシステムブロック図である。
【図４】本発明におけるバッテリ残量の値を取得する一実施例を説明するための図である。
【図５】従来の映像監視システムの構成を示すブロック図である。
【図６】従来の映像監視システムの構成を示すブロック図である。
【発明を実施するための形態】
【００１０】
本発明は、撮影した映像を送信するカメラ装置と、映像を伝送する伝送装置と、映像を受信して記録する録画装置と、前記カメラ装置や上記録画装置からの映像を受信して表示する表示装置と、平常時及び停電時に前記各装置へ電源を供給する無停電電源装置を有する映像監視システムにおいて、無停電電源装置のバッテリ残容量の値を取得する監視機能部と、該監視機能部からの信号と自身の設定情報によって前記無停電電源装置に接続された各装置の電源を個別に制御する電源制御機能部を備え、停電発生時には前記無停電電源装置のバッテリ残容量に応じて各装置の電源を制御することを特徴とする映像監視システムである。
好ましくは、上記映像監視システムは、前記監視機能部が、前記無停電電源装置のバッテリ残容量表示からバッテリ残容量の値を取得することを特徴とする映像監視システムである。
【００１１】
以下、添付図面を参照しながら本発明の実施形態を詳細に説明する。なお、各図の説明において、共通な機能を有する構成要素には同一の参照番号を付し、できるだけ説明の重複を避ける。
【００１２】
図１は、本発明の映像監視システムの一実施例の構成を示すブロック図である。１０５は無停電電源装置、１０６はバッテリ、１０７は切替器、１０８は主電源入力部、１２０は監視機能部、１３０は電源制御機能部、１３１はメモリテーブル部、１３２は演算器、１３３〜１３６は切替器、１４０はメモリテーブル部１３１と演算器１３２で構成される設定情報出力部である。
図１において、カメラ装置５０１は、監視対象を撮影し、映像データを伝送装置５０２に送信する。伝送装置５０２は、受信した映像データを録画装置５０３及び表示装置５０４に送信する。
【００１３】
録画装置５０３は、伝送装置５０２から受信した映像データを録画する。また録画装置５０３は、録画された映像データを再生し送信する。
表示装置５０４は、伝送装置５０２から送信された映像データを受信し、図示しない表示部に表示する。
無停電電源装置１０５は、通常は、主電源入力部１０８から供給される電力を各装置に供給し、停電発生時にはバッテリ１０６からの電力を各装置に供給する。この切替えのために、切替器１０７を備える。
【００１４】
監視機能部１２０は、無停電電源装置１０５内にある、バッテリ１０６の残容量を監視し、残容量情報として電源制御機能部１３０の演算器１３２に通知する。
電源制御機能部１３０では、設定情報出力部１４０は、監視機能部１２０から演算器１３２に入力されるバッテリ残容量から、メモリテーブル部１３１を参照してオンオフする装置を決定する。
即ち、設定情報出力部１４０は、監視機能部１２０から取得したバッテリ１０６の残容量情報と、メモリテーブル部１３１から取得したバッテリ残容量に対する各装置の電源制御情報により、切替器１３３、１３４、１３５、及び１３６、並びに、録画装置５０３及び表示装置５０４に制御信号を出力する。
【００１５】
設定情報出力部１４０が出力する設定情報は、バッテリ残容量に対応して各装置の電源を制御する内容を予めメモリテーブルとして保持している。
切替器１３３は、演算器１３２からの制御信号に応じて、カメラ装置５０１の電源供給をオンオフする。切替器１３４は、演算器１３２からの制御信号に応じて、伝送装置５０２の電源供給をオンオフする。切替器１３５は、演算器１３２からの制御信号に応じて、録画装置５０３の電源供給をオンオフする。切替器１３６は、演算器１３２からの制御信号に応じて、表示装置５０４の電源供給をオンオフする。
【００１６】
また、設定情報出力部１４０からの制御信号は、シャットダウン開始信号として、録画装置５０３に出力される。このシャットダウン開始信号の入力により、録画装置５０３は、シャットダウン処理を開始する。同様に、演算器１３２からの制御信号は、シャットダウン開始信号として、表示装置５０４に出力される。このシャットダウン開始信号の入力により、表示装置５０４は、シャットダウン処理を開始する。
【００１７】
なお、設定情報出力部１４０から、切替器１３３〜１３６及び、録画装置５０３、表示装置５０４に出力される制御信号は、それぞれの装置の動作の切替えのために、別々のコマンドを有するのが望ましい。例えば、切替器をオフするためには、オフさせる制御信号と共にオフする切替器を示す識別子を付加することで実現される。また、シャットダウン開始信号も同様に、シャットダウン処理を開始する装置を特定する識別子をシャットダウン開始信号に付加することによって実現する。従って、一時に出力される制御信号は、１つであっても良く、付加される識別子によって、動作する装置若しくは切替器が、一意的に定まる。
また、好ましくは、遅延時間を付加する識別子を付加し、それぞれの装置のオンオフ、若しくはシャットダウン開始時間の制御を可能にしても良い。
【００１８】
バッテリ１０６は、無停電電源装置１０５のバッテリで、停電時には、バックアップ対象となる装置への電力供給源となる。
主電源入力部１０８は、商用電源等から電力を入力するもので、停電時以外の各装置の電力供給源である。
【００１９】
図２によって、本発明の設定情報の一実施例を説明する。図２は、本発明のメモリテーブル部１３１が出力する設定情報の一実施例を示すメモリーテーブル図である。図２において、２０１は設定情報の設定内容を表で表したものである。
監視機能部１２０から演算器１３２に入力される残容量情報は、例えば、バッテリ１０６の充電率である。図２のメモリテーブルにおけるバッテリ残容量０％、３０％、５０％、８０％、及び１００％は、それぞれ、残容量が０〜５％の時に０％の欄を用い、残容量が６〜３０％の時に３０％の欄を用い、残容量３１〜５０％の時に５０％の欄を用いる。同様に、残容量が５１〜８０％の時に８０％の欄を用い、残容量８１〜１００％の時に１００％の欄を用いる。
【００２０】
図２のメモリテーブルにおいて、バッテリ残容量が１００％の時には、カメラ装置５０１、伝送装置５０２、録画装置５０３、及び表示装置５０４全てを電源オン（ＯＮ）とする。
また、バッテリ残容量が８０％の時には、カメラ装置５０１、伝送装置５０２、及び録画装置５０３を電源オン（ＯＮ）とし、表示装置５０４がシャットダウンを開始する。
さらに、バッテリ残容量が５０％の時には、カメラ装置５０１、伝送装置５０２、及び録画装置５０３を電源オン（ＯＮ）であり、表示装置５０４がオフ（ＯＦＦ）となる。
次に、バッテリ残容量が３０％の時には、カメラ装置５０１、伝送装置５０２、及び表示装置５０４全てを電源オフ（ＯＦＦ）とし、録画装置５０３がシャットダウンを開始する。
そして、バッテリ残容量が０％の時には、カメラ装置５０１、伝送装置５０２、録画装置５０３、及び表示装置５０４全てを電源オフ（ＯＦＦ）とする。
【００２１】
図３は、本発明の一実施例によるバッテリ消費量の削減を表すシステムブロック図である。図３は、本発明の効果の一実施例を示す図である。３０１はバッテリ残容量の推移を表すグラフ線である。３０２は停電発生時刻を示す。３０３は従来例で全機能が停止する時刻を示す。３０４は本発明で全機能が停止する時刻を示す。横軸は、時間である。
【００２２】
図４によって、バッテリ残量を取得する方法の一実施形態を説明する。図４は、本発明におけるバッテリ残量の値を取得する一実施例を説明するための図である。４０１は無停電電源装置１０５に取り付けられたバッテリ残容量の表示部、４１１〜４１５はバッテリ残容量の表示部４０１にあるバッテリ残容量表示用のＬＥＤ（ Light Emitting Diode ）、４２１〜４２５は監視機能部１２０に設けられた光センサである。
【００２３】
図４において、表示部４０１に設けられたＬＥＤ４１１〜４１５は、無停電電源装置１０５に取り付けられたバッテリ残容量を点灯によって表示するものであり、バッテリ１０６のバッテリ残容量に応じて、異なるＬＥＤが点灯する。
例えば、ＬＥＤ４１１は図２若しくは図３におけるバッテリ残量が１００％である場合に点灯する。この点灯を光センサ４２１が検出して、検出信号を監視機能部１２０から電源制御機能部１３０に出力することによって、バッテリ残容量が１００％であることが伝達される。また、ＬＥＤ４１２が点灯すると、この点灯を光センサ４２２が検出して、検出信号を監視機能部１２０から電源制御機能部１３０に出力することによって、バッテリ残容量が８０％であることが伝達される。同様に、ＬＥＤ４１３が点灯すると、この点灯を光センサ４２３が検出して、検出信号を監視機能部１２０から電源制御機能部１３０に出力することによって、バッテリ残容量が５０％であることが伝達される。また同様に、ＬＥＤ４１４が点灯すると、この点灯を光センサ４２４が検出して、検出信号を監視機能部１２０から電源制御機能部１３０に出力することによって、バッテリ残容量が３０％であることが伝達される。さらに、ＬＥＤ４１５が点灯すると、この点灯を光センサ４２５が検出して、検出信号を監視機能部１２０から電源制御機能部１３０に出力することによって、バッテリ残容量が０％であることが伝達される。
【００２４】
以下、本発明の動作及び効果についてさらに説明する。例えば、停電が発生した場合等によって、主電源入力部１０６に商用電源が供給されない、無停電電源装置１０５は、電力供給源をバッテリ１０６に切替えてシステムへの電力供給を継続する。
電源制御機能部１３０は、監視機能部１２０が監視しているバッテリ１０６の残容量を取得し、メモリテーブル部１３１の設定情報である表２０１を参照することにより、各装置への電源供給スイッチ（切替器１３３、１３４、１３５、及び，１３６、並びに、録画装置５０３及び表示装置５０４へのシャットダウン開始信号を制御する。
【００２５】
具体的には、バッテリ残容量が８０％に低下した場合は、電源制御機能部１３０は設定内容の表２０１の組み合わせの通り表示装置５０４へのシャットダウン信号を送信し、表示装置５０４をシャットダウンする。
バッテリ残容量が５０％に低下した場合は、電源制御機能部１３０は表示装置５０４への切替器１３６を操作し、表示装置５０４への電力供給を停止する。
上記のように動作することで、表示装置５０４にハードディスク等の停止時にシャットダウン手続きが必要な機器が装備されていても安全に停止することができるため装置が保護される。
【００２６】
なおこの時点でも、カメラ装置５０１、伝送装置５０２、録画装置５０３は動作しているので、システムとしてカメラ映像の録画機能は動作しているが、表示装置５０４は停止しているため、システム全体としてはその分の消費電力が減少しており、バッテリ１０６の消費量の節約になっている。この効果を図３を用いて説明する。
【００２７】
図３において、バッテリ残容量の推移を示すグラフ線３０１は、停電発生時刻３０２の時点から下降を開始しバッテリ残容量の低下を示す。そして、残容量が８０％となったところで表示装置５０４が停止することでバッテリ消費量が減少し下降が緩やかになる。さらに、残容量が３０％となったところで、設定内容の表２０１に従って、カメラ装置５０１と伝送装置５０２の電源供給がオフになり、録画装置５０３のシャットダウンが開始されるため、全システム機能が停止する。
【００２８】
このときの時刻が本発明での全機能停止時刻３０４である。従来例では、表示装置５０４の停止を行わないのでバッテリ残容量の推移を示すグラフ線３０１は点線の下降を続け、本発明と同じ条件であるバッテリ残容量３０％となった時点で無停電電源装置１０５が全装置への電源供給をオフにした場合、全機能が停止する時刻は、全機能停止時刻３０３である。ここで、従来例での全機能停止時刻３０３から本発明での全機能停止時刻３０４までの期間が、本発明の効果であるシステムの稼働時間の延長を示す。
【００２９】
図４では、本発明の無停電電源装置１０５においてバッテリの残容量を監視機能部１２０へ通知する機構が無い場合の実施例を説明する。
無停電電源装置１０５にはバッテリ残容量表示部４０１が設けられており、残容量に応じて、ＬＥＤ４１１〜４１５による表示（点灯）を行う機能を有する。しかし、これは無停電電源装置１０５を管理するユーザのためのもので、監視機能部１２０に向けての仕組みではない。
そこで、本発明では図４で説明した通り、光センサ４０３を設置することで残ＬＥＤ４１１〜４１５の発光を検出し、監視機能部１２０が残容量情報を取得できるよう工夫した。
これにより、無停電電源装置１０５が、外部装置にバッテリ残容量を通知する機構を持たない場合であっても本発明を適用することができる。
また、主電源入力部５０８からの電力供給を受けない、バッテリ１０６のみで動作する可搬型の映像監視システムとすることも可能である。このシステムの場合の動作は、上述した主電源入力部５０８があるシステムにおいて停電発生時に主電源入力部５０８からバッテリ１０６に電力供給源を切り替えた後の動作と同様である。
【符号の説明】
【００３０】
１０５：無停電電源装置、  １０６：バッテリ、  １０７：切替器、  １０８：主電源入力部、  １２０：監視機能部、  １３０：電源制御機能部、  １３１：メモリテーブル部、  １３２：演算器、  １３３〜１３６：切替器、  １４０：設定情報出力部、  ５０１：カメラ装置、  ５０２：伝送装置、  ５０３：録画装置、  ５０４：表示装置、  ５０５：無停電電源装置、  ５０６：バッテリ、  ５０７：切替器、  ５０８：主電源入力部、  ６０５：無停電電源装置、  ６０６：バッテリ、  ６０７：切替器、  ６０８：主電源入力部、  ４０１：バッテリ残容量の表示部、  ４１１〜４１５：ＬＥＤ、  ４２１〜４２５：光センサ。
【図１】
2011071675.tif 000003
【図２】
2011071675.tif 000004
【図３】
2011071675.tif 000005
【図４】
2011071675.tif 000006
【図５】
2011071675.tif 000007
【図６】
2011071675.tif 000008